(57)【要約】  本発明は、データ伝送方法及び装置を提供する。本発明の実施例は、端末が少なくとも２つのサービングセルの各サービングセルのデータ伝送状況を検出して、前記端末が前記各サービングセルのデータ伝送状況に応じて、ビーム失敗したサービングセルにおいてランダムアクセスを実行して、前記サービングセルのサービスビームを更新することにより、ＣＡシーンで端末がサービングセルのビーム失敗が発生した場合に信頼性の高いデータ伝送を実現し、データ伝送の信頼性を効果的に保証することができる。
2021520697.tif 000002
【特許請求の範囲】
【請求項１】
端末が少なくとも２つのサービングセルの各サービングセルのデータ伝送状況を検出することと、
前記端末が前記各サービングセルのデータ伝送状況に応じて、ビーム失敗したサービングセルにおいてランダムアクセスを行って、前記サービングセルのサービスビームを更新することとを含み、
前記少なくとも２つのサービングセルが１つのプライマリセル及び少なくとも１つのセカンダリセルを含む
ことを特徴とするデータ伝送方法。
【請求項２】
前記端末が少なくとも２つのサービングセルの各サービングセルのデータ伝送状況を検出することは、
前記端末が前記各サービングセルに設定されたタイマ及びカウンタを維持して、前記各サービングセルに設定されたタイマの動作期間において、前記各サービングセルにビーム失敗が発生した回数を統計することを含む
ことを特徴とする請求項１に記載のデータ伝送方法。
【請求項３】
前記各サービングセルに設定されたタイマの動作期間が、同一又は異なる
ことを特徴とする請求項２に記載のデータ伝送方法。
【請求項４】
前記端末が前記各サービングセルのデータ伝送状況に応じて、ビーム失敗したサービングセルにおいてランダムアクセスを行って、前記サービングセルのサービスビームを更新することは、
サービングセルに設定されたタイマの動作期間において、該サービングセルにビーム失敗が発生した回数が予め設定された回数閾値に達す場合、前記端末が該サービングセルにおいてランダムアクセスを実行して、前記サービングセルのサービスビームを更新することを含む
ことを特徴とする請求項２に記載のデータ伝送方法。
【請求項５】
前記回数閾値は、ネットワークデバイスにより設定され、又は、プロトコルにより規定される
ことを特徴とする請求項４に記載のデータ伝送方法。
【請求項６】
前記端末が前記各サービングセルに設定されたタイマ及びカウンタを維持して、前記各サービングセルに設定されたタイマの動作期間において、前記各サービングセルにビーム失敗が発生した回数を統計することは、
前記端末のＭＡＣ層が前記各サービングセルに設定されたタイマ及びカウンタを維持することと、
前記端末のＭＡＣ層が前記端末の物理層により報告されたサービングセルのビーム失敗イベントを受信することと、
前記端末のＭＡＣ層が前記カウンタの値を１つのカウント単位分加算されることとを含み、
前記ビーム失敗イベントは、前記端末の物理層が該サービングセルのビーム失敗を検出して報告したものである
ことを特徴とする請求項２に記載のデータ伝送方法。
【請求項７】
前記端末が前記各サービングセルのデータ伝送状況に応じて、ビーム失敗したサービングセルにおいて、ランダムアクセスを実行した後、さらに、
前記ランダムアクセスが成功した場合、前記端末がビーム失敗したサービングセルに設定されたタイマを停止し、ビーム失敗したサービングセルに設定されたカウンタをクリアすることを含む
ことを特徴とする請求項２〜６のいずれか１項に記載のデータ伝送方法。
【請求項８】
伝送検出ユニットと、ランダムアクセスユニットとを備えるデータ伝送装置であって、
前記伝送検出ユニットは、少なくとも２つのサービングセルの各サービングセルのデータ伝送状況を検出するように構成され、前記少なくとも２つのサービングセルが１つのプライマリセル及び少なくとも１つのセカンダリセルを含み、
前記ランダムアクセスユニットは、前記各サービングセルのデータ伝送状況に応じて、ビーム失敗したサービングセルにおいてランダムアクセスを実行して、前記サービングセルのサービスビームを更新するように構成される
ことを特徴とするデータ伝送装置。
【請求項９】
前記伝送検出ユニットは、
前記各サービングセルに設定されたタイマ及びカウンタを維持して、前記各サービングセルに設定されたタイマの動作期間において前記各サービングセルにビーム失敗した回数を統計するように構成される
ことを特徴とする請求項８に記載のデータ伝送装置。
【請求項１０】
前記各サービングセルに設定されたタイマの動作期間が、同一又は異なる
ことを特徴とする請求項９に記載のデータ伝送装置。
【請求項１１】
前記ランダムアクセスユニットは、
サービングセルに設定されたタイマの動作期間において、該サービングセルにビーム失敗した回数が予め設定された回数閾値に達す場合、該サービングセルにおいてランダムアクセスを実行して、前記サービングセルのサービスビームを更新するように構成される
ことを特徴とする請求項９に記載のデータ伝送装置。
【請求項１２】
前記回数閾値は、ネットワークデバイスにより設定され、又は、プロトコルにより規定される
ことを特徴とする請求項１１に記載のデータ伝送装置。
【請求項１３】
前記伝送検出ユニットは、
前記各サービングセルに設定されたタイマ及びカウンタを維持し、
端末の物理層により報告されたサービングセルのビーム失敗イベントを受信し、
前記カウンタの値を１つのカウント単位分加算するように構成され、
前記ビーム失敗イベントは、前記端末の物理層が該サービングセルのビーム失敗を検出して報告したものである
ことを特徴とする請求項９に記載のデータ伝送装置。
【請求項１４】
前記伝送検出ユニットは、さらに、
前記ランダムアクセスが成功した場合、ビーム失敗したサービングセルに設定されたタイマを停止し、ビーム失敗したサービングセルに設定されたカウンタをクリアするように構成される
ことを特徴とする請求項９〜１３のいずれか１項に記載のデータ伝送装置。
【発明の詳細な説明】
【技術分野】
【０００１】
本発明は、データ伝送技術に関し、特に、データ伝送方法及び装置に関する。
【背景技術】
【０００２】
キャリアアグリゲーション( Ｃａｒｒｉｅｒ Ａｇｇｒｅｇａｔｉｏｎ、ＣＡ )特性を有する無線通信システムでは、端末は、複数のサービングセル( Ｓｅｒｖｉｎｇ Ｃｅｌｌ )を介してネットワークデバイスと通信することができる。ここで、前記複数のサービングセルのうち、一つのサービングセルはプライマリセル( Ｐｒｉｍａｒｙ Ｃｅｌｌ、ＰＣｅｌｌ )であり、他のサービングセルはセカンダリセル( Ｓｅｃｏｎｄａｒｙ Ｃｅｌｌ、ＳＣｅｌｌ )であり、端末は、異なるサービングセルを介してネットワークデバイスに上り信号を送信することができる。
【０００３】
実際の応用過程では、端末はサービングセル、すなわち、プライマリセル又はセカンダリセルのビーム失敗状況を発生することがあるため、ＣＡシーンで端末がサービングセルのビーム失敗を起こした場合に、信頼できるデータ伝送を実現するデータ伝送方法を提供することが望ましい。
【発明の概要】
【０００４】
本発明の多く態様は、ＣＡシーンで端末がサービングセルのビーム失敗を起こした場合に、信頼性の高いデータ伝送を実現するデータ伝送方法及び装置を提供する。
【０００５】
本発明の１つの形態は、データ伝送方法を提供し、
端末が少なくとも２つのサービングセルの各サービングセルのデータ伝送状況を検出することと、
前記端末が前記各サービングセルのデータ伝送状況に応じて、ビーム失敗したサービングセルにおいてランダムアクセスを行って、前記サービングセルのサービスビームを更新することとを含み、
ここで、前記少なくとも２つのサービングセルが１つのプライマリセル及び少なくとも１つのセカンダリセルを含む。
【０００６】
本発明の他の態様は、データ伝送装置を提供し、伝送検出ユニット及びランダムアクセスユニットを含み、
伝送検出ユニットは、少なくとも２つのサービングセルの各サービングセルのデータ伝送状況を決定し、ここで、前記少なくとも２つのサービングセルが１つのプライマリセル及び少なくとも１つのセカンダリセルを含み、
ランダムアクセスユニットは、前記各サービングセルのデータ伝送状況に応じて、ビーム失敗したサービングセルにおいてランダムアクセスを実行して、前記サービングセルのサービスビームを更新するように構成される。
【０００７】
上記の技術的解決手段から分かるように、本発明の実施例は、端末が少なくとも２つのサービングセルのそれぞれのデータ伝送状況を検出することによって、前記端末が前記サービングセルのそれぞれのデータ伝送状況に応じてビーム失敗が発生したサービングセルでランダムアクセスを行って前記サービングセルのサービスビームを更新することができるようにすることによって、ＣＡシーンで端末がサービングセルのビーム失敗が発生した場合に、信頼できるデータ伝送を実現し、データ伝送の信頼性を効果的に保証することができる。
【図面の簡単な説明】
【０００８】
本開示の上記および他の特徴およびメリットは、添付の図面を参照して詳細に説明する例示的な実施例により、より明らかになる。なお、以下の記載における図面はただ本発明の一部の実施例に過ぎず、当業者の場合、創造的な労働を付与しない前提で、これらの図面によって他の図面を得ることができる。
【図１】本発明の実施例におけるデータ伝送方法のフローチャートである。
【図２】本発明の他の実施例におけるデータ伝送装置の構成図である。
【発明を実施するための形態】
【０００９】
本発明の実施例の目的、技術的解決策、及び利点をより明確にするために、以下に、本発明の実施例における技術的解決策を、本発明の実施例における図面と併せて、明確かつ完全に説明し、記載された実施例は、本発明の一部の実施例であり、全ての実施例ではないことを理解する。本発明の実施例に基づいて、当業者が創造的な労働をすることなく得た全ての他の実施例は、本発明の保護範囲に属する。
【００１０】
ここで、「及び/又は」とは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００１１】
図１に示すように、図１は本発明の実施例におけるデータ伝送方法のフローチャートである。
【００１２】
１０１において、端末が少なくとも２つのサービングセルの各サービングセルのデータ伝送状況を検出する。
【００１３】
ここで、前記少なくとも２つのサービングセルは、１つのプライマリセルと、１つ又は複数のセカンダリセルとを含む。具体的には、プライマリセルとセカンダリセルの分けは、具体的には、従来技術における関連技術を用いることができ、ここでは詳しい説明を省略する。
【００１４】
１０２において、前記端末が前記各サービングセルのデータ伝送状況に応じて、ビーム失敗したサービングセルにおいてランダムアクセスを行って、前記サービングセルのサービスビームを更新する。
【００１５】
本発明の主な思想は、端末が、それぞれの複数のサービングセルのためにタイマ（ｔｉｍｅｒ）およびカウンタ（ｃｏｕｎｔｅｒ）を設定および維持し、ここで、１つのプライマリセルおよび少なくとも１つのセカンダリセルを含み、各サービングセルに設定されたタイマの動作期間内に、各サービングセルのためのデータ伝送状況を検出する。あるサービングセルにビーム失敗が発生した場合、端末は、サービングセルのデータ伝送品質を保証するために、サービングセル上でランダムアクセスを実行してサービングセルのサービスビームを更新することができる。
【００１６】
任意選択で、この実施例の実現可能な方式において、１０１において、前記端末は、具体的に、前記各サービングセルに設定されたタイマ及びカウンタを維持して、前記各サービングセルに設定されたタイマの動作期間内において、前記各サービングセルにビーム失敗した回数を統計する。
【００１７】
該実現方式において、端末は、前記各サービングセルにそれぞれのタイマ及びカウンタを設定することができる。各サービングセルに設定されたカウンタは、該サービングセルに設定されたタイマの動作期間において、該サービングセルにビーム失敗した回数を記録することができる。
【００１８】
端末は、サービングセルでビーム失敗が最初発生した場合、サービングセルに設定されたタイマを起動し、サービングセルに設定されたカウンタのカウント値を０から１カウント単位を増加させてカウントを開始し、例えば、カウント値を１増加させて１にする。端末は、このサービングセルに設定されたタイマの動作期間内に、サービングセルによってビーム失敗が発生する度に、サービングセルに設定されたカウンタのカウント値を１カウント単位ずつ、例えば１ずつ増加させることができる。
【００１９】
このサービングセルに設定されたタイマがタイムアウトすると、端末は、このサービングセルに設定されたカウンタをゼロに戻して、端末がこのサービングセルにビーム失敗が生じた回数をカウントし続けることができる。端末は、サービングセルに新たなビーム失敗が発生した場合、このサービングセルに設定されたタイマを再開し、サービングセルに設定されたカウンタのカウント値を０から１カウント単位ずつ増加させてカウントを開始し、例えば、カウント値を１だけ増加させて１にする。
【００２０】
具体的な実施過程において、前記各サービングセルに設定されたタイマの動作期間は同一であってもよく、或いは異なってもよく、本実施例はこれを限定しない。
【００２１】
別の具体的な実現過程では、１０２において、サービングセルに設定されたタイマの動作期間内に、このサービングセルにビーム失敗した回数が予め設定された回数閾値に達した場合、該サービングセルにビーム失敗が発生したことを示し、端末は、サービングセル上でランダムアクセスを実行してサービングセルのサービスビームを更新することができる。
【００２２】
この実現過程において、前記端末は具体的には各サービングセルに設定されたカウンタのカウント値を判断し、それが予め配置された回数閾値に達したか否かを判断することができる。
【００２３】
端末は、１つのサービングセルに構成されたカウンタのカウント値が、予め設定された回数閾値に達したと判断する場合、該サービングセルにビーム失敗が発生したことを確認できることを示し、端末は、該サービングセル上でランダムアクセスを実行して該サービングセルのサービスビームを更新することができる。
【００２４】
この実施において、この回数閾値は、ネットワークデバイスによって設定され得る。
【００２５】
具体的には、端末は、ネットワークデバイスが下り制御情報( Ｄｏｗｎｌｉｎｋ Ｃｏｎｔｒｏｌ Ｉｎｆｏｒｍａｔｉｏｎ、ＤＣＩ )、上位層シグナリング、またはシステムブロードキャストメッセージによって送信された回数閾値を受信することができる。
【００２６】
例えば、上位層シグナリングは、回数閾値がＲＲCメッセージ内の情報要素( Ｉｎｆｏｒｍａｔｉｏｎ Ｅｌｅｍｅｎｔ、ＩＥ )によって搬送され得る無線リソース制御( Ｒａｄｉｏ Ｒｅｓｏｕｒｃｅ Ｃｏｎｔｒｏｌ、ＲＲＣ )メッセージであり、ＲＲＣメッセージは、既存のＲＲＣメッセージ、例えば、ＲＲＣ接続再構成( ＲＲＣ ＣＯＮＮＥＣＴＩＯＮ ＲＥＣＯＮＦＩＧＵＲＡＴＩＯＮ )メッセージ等であってもよく、本実施例は、これを限定しないが、既存のＲＲＣメッセージのＩＥを拡張することによってこの回数閾値が搬送されるか、又は、既存のＲＲＣメッセージとは異なるものであり得る。
【００２７】
又は、また、例えば、上位層シグナリングは、メディアアクセス制御( Ｍｅｄｉａ Ａｃｃｅｓｓ Ｃｏｎｔｒｏｌ、ＭＡＣ )制御要素( Ｃｏｎｔｒｏｌ Ｅｌｅｍｅｎｔ、ＣＥ )メッセージであってよく、特に、新たなＭＡＣ ＣＥメッセージを追加することによって回数閾値を搬送することもできる。
【００２８】
または、たとえば、回数閾値は、システムブロードキャストメッセージ内の既存のマスタ情報ブロック( Ｍａｓｔｅｒ Ｉｎｆｏｒｍａｔｉｏｎ Ｂｌｏｃｋ、ＭＩＢ )または( Ｓｙｓｔｅｍ Ｉｎｆｏｒｍａｔｉｏｎ Ｂｌｏｃｋ、ＳＩＢ )を特に用いて搬送され得るか、または、回数閾値を搬送する新たなＳＩＢが追加され得る。
【００２９】
この回数閾値は、プロトコルによって約束されてもよいことが理解される。
【００３０】
他の実現過程において、端末は、この端末のメディアアクセス制御( Ｍｅｄｉａ Ａｃｃｅｓｓ Ｃｏｎｔｒｏｌ、ＭＡＣ )層を利用して、各サービングセルに設定されたタイマ及びカウンタをそれぞれ維持することができる。
【００３１】
この実装プロセスの具体的な実装において、前記端末のＭＡＣ層は、特に、各サービングセルに設定されたタイマ及びカウンタを維持することができる。端末のＭＡＣ層は、端末の物理層によって報告された１つのサービングセルの最初のビーム失敗イベントを受信すると、このサービングセルに設定されたタイマを起動し、このサービングセルに設定されたカウンタのカウント値を０から１カウント単位だけ増加させ、例えば、１だけ増加させ、１にする。端末のＭＡＣ層は、このサービングセルに設定されたタイマの動作期間内に、サービングセルによってビーム失敗が発生するたびに、端末の物理層によって報告されたサービングセルのビーム失敗イベントを受信し、前記カウンタのカウント値を１カウント単位、例えば１だけ増加させることができる。ここで、前記ビーム失敗イベントは、前記端末の物理層が該サービングセルのビーム失敗を検出して報告したものである。
【００３２】
例えば、前記端末の物理層が、該サービングセルのエラーブロックレート( Ｂｌｏｃｋ Ｅｒｒｏｒ Ｒａｔｅ、ＢＬＥＲ )が予め設定された伝送閾値以上であることを検出した場合、該サービングセルのデータ伝送性能が大きく低下することを示し、この時、前記端末の物理層は、前記端末のＭＡＣ層に該サービングセルのビーム失敗イベントを報告することができる。
【００３３】
サービングセルに設定されたタイマがタイムアウトすると、前記端末のＭＡＣ層は、このサービングセルに設定されたカウンタをゼロに戻して、端末のＭＡＣ層がこのサービングセルにビーム失敗が生じた回数をカウントし続けることができる。端末のＭＡＣ層は、サービングセルに新たなビーム失敗が発生した場合、サービングセルに設定されたタイマを再開し、このサービングセルに設定されたカウンタのカウント値を０から１カウント単位ずつ増加させ、カウントを開始し、例えば、カウント値を１だけ増加させて１にする。
【００３４】
このサービングセルに設定されたタイマの動作期間内に、このサービングセルに構成されたカウンタのカウント値が予め構成された回数閾値に達す場合、ビーム失敗がサービングセルに発生したことを確認することができることを示し、端末のＭＡＣ層は、端末がサービングセル上でランダムアクセスを実行することをトリガして、サービングセルのサービスビームを更新することができる。
【００３５】
任意選択で、本実施例の１つの可能な実施態様において、１０２の後、ランダムアクセスが成功した場合、端末がビーム失敗が生じたサービングセルに設定されたタイマを停止し、ビーム失敗が生じたサービングセルに設定されたカウンタをクリアすることにより、端末がサービングセルのデータ伝送状況を検出し続けることができる。
【００３６】
本実施例では、端末が少なくとも２つのサービングセルのそれぞれのデータ伝送状況を検出することによって、端末が前記サービングセルのそれぞれのデータ伝送状況に応じて、ビーム失敗が発生したサービングセルでランダムアクセスを行って、サービングセルのサービスビームを更新することができるようにすることによって、ＣＡシーンで端末がサービングセルのビーム失敗が発生した場合に信頼性の高いデータ伝送を実現し、データ伝送の信頼性を効果的に保証することができる。
【００３７】
なお、前述の各方法の実施例は、説明を簡単にするために、全て一連の動作の組み合わせとして表現したが、当業者であれば、本発明は、説明された動作の順序に限定されるものではなく、本発明によって、あるステップが他の順序で、または同時に行われてもよい。次に、当業者は、本明細書に記述された実施例が全て好ましい実施例に含まれることを理解するであろうが、かかる動作及びモジュールは必ずしも本発明に必須ではない。
【００３８】
上記実施例では、各実施例についての説明を中心に説明したが、本発明は、上記実施例に限定されるものではなく、本発明の技術的思想を逸脱しない範囲内で種々の変更が可能である。
【００３９】
図２に示すように、図２は本発明の他の実施例におけるデータ伝送装置の構成図である。本実施例におけるデータ伝送装置は、伝送検出ユニット２１及びランダムアクセスユニット２２を含む。ここで、伝送検出ユニット２１は、少なくとも２つのサービングセルの各サービングセルのデータ伝送状況を検出するように構成され、ここで、前記少なくとも２つのサービングセルが１つのプライマリセル及び少なくとも１つのセカンダリセルを含み、ランダムアクセスユニット２２は、前記各サービングセルのデータ伝送状況に応じて、ビーム失敗したサービングセルにおいてランダムアクセスを実行して、前記サービングセルのサービスビームを抗するように構成される。
【００４０】
なお、本実施の形態によるデータ伝送装置は、端末であってもよい。
【００４１】
任意選択で、この実施例の実現可能な方式において、前記伝送検出ユニット２１は、具体的に、前記各サービングセルに設定されたタイマ及びカウンタを維持して、前記各サービングセルに設定されたタイマの動作期間において、前記各サービングセルにビーム失敗した回数を統計するように構成される。
【００４２】
具体的な実施過程において、前記各サービングセルに設定されたタイマの動作期間は同一であってもよく、或いは異なってもよく、本実施例はこれを限定しない。
【００４３】
別の具体的な実現方式では、ランダムアクセス部２２は、具体的に、サービングセルに設定されたタイマの動作期間内に、サービングセルにビーム失敗した回数が、あらかじめ設定された回数閾値に達した場合に、このサービングセル上でランダムアクセスを実行して、サービングセルのサービスビームを更新するために使用され得る。
【００４４】
この実施例において、この回数閾値は、ネットワークデバイスにより構成されてもよいし、プロトコルにより規定されてもよく、本実施例では特に限定しない。
【００４５】
他の具体的な実施過程において、前記伝送検出ユニット２１は、具体的に、端末のＭＡＣ層であり、各サービングセルに設定されたタイマ及びカウンタを維持する。具体的に、前記各サービングセルに設定されたタイマ及びカウンタを維持し、端末の物理層により報告されたサービングセルのビーム失敗イベントを受信し、ここで、前記ビーム失敗イベントは、前記端末の物理層が該サービングセルのビーム失敗を検出して報告したものであり、前記カウンタのカウント値を１カウント単位分増加させる。
【００４６】
任意選択で、この実施例の実現可能な方式において、前記伝送検出ユニット２１は、さらに、前記ランダムアクセスが成功した場合、ビーム失敗したサービングセルに設定されたタイマを停止し、ビーム失敗したサービングセルに設定されたカウンタをクリアするように構成される。
【００４７】
なお、図１に対応する実施例における端末が実行する方法は、本実施例で提供するデータ伝送装置で実現できる。詳細な説明は、図１に対応する実施例の関連内容を参照して、ここで説明を省略する。
【００４８】
本実施例では、伝送検出ユニットが少なくとも２つのサービングセルのそれぞれのデータ伝送状況を検出することによって、ランダムアクセスユニットが、前記サービングセルのデータ伝送状況に応じて、ビーム失敗が発生したサービングセルでランダムアクセスを行って前記サービングセルのサービスビームを更新することができるようにすることによって、ＣＡシーンで端末がサービングセルのビーム失敗が発生した場合に、信頼性の高いデータ伝送を実現し、データ伝送の信頼性を効果的に保証することができる。
【００４９】
当業者であれば、説明の便宜及び簡潔にするために、上記に説明されたシステム、装置及びユニットの特定の動作プロセスは、前述の方法の実施例における対応するプロセスを参照してもよく、ここでその説明が省略されることを理解するであろう。
【００５０】
本発明によって提供されるいくつかの実施例において、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【００５１】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【００５２】
また、本発明の各実施例における各機能部は、１つの処理部に集積されてもよいし、各部は物理的に別個に存在してもよいし、２つ以上の部が１つの部に集積されてもよい。上記の統合されたユニットは、ハードウェアの形態で実現されてもよいし、ハードウェア及びソフトウェア機能ユニットの形態で実現されてもよい。
【００５３】
最後に、上述の実施例は、本発明の技術思想を説明するためのものであって、本発明を限定するものではなく、本発明の技術思想の範囲内で当業者が理解し得る様々な変形、修正、置換を本発明の実施例に含まれる全ての変形、置換を本発明の範囲内で行うことができることは、上述の実施例を参照して説明したところであり、当業者が理解しうるところである。
【図１】
2021520697.tif 000003
【図２】
2021520697.tif 000004
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
端末が少なくとも２つのサービングセルの各サービングセルのデータ伝送状況を検出することと、
前記端末が前記各サービングセルのデータ伝送状況に応じて、ビーム失敗したサービングセルにおいてランダムアクセスを行って、前記サービングセルのサービスビームを更新することとを含み、
前記少なくとも２つのサービングセルが１つのプライマリセル及び少なくとも１つのセカンダリセルを含む
ことを特徴とするデータ伝送方法。
【請求項２】
前記端末が少なくとも２つのサービングセルの各サービングセルのデータ伝送状況を検出することは、
前記端末が前記各サービングセルに設定されたタイマ及びカウンタを維持して、前記各サービングセルに設定されたタイマの動作期間において、前記各サービングセルにビーム失敗が発生した回数を統計することを含む
ことを特徴とする請求項１に記載のデータ伝送方法。
【請求項３】
前記各サービングセルに設定されたタイマの動作期間が、同一又は異なる
ことを特徴とする請求項２に記載のデータ伝送方法。
【請求項４】
前記端末が前記各サービングセルのデータ伝送状況に応じて、ビーム失敗したサービングセルにおいてランダムアクセスを行って、前記サービングセルのサービスビームを更新することは、
サービングセルに設定されたタイマの動作期間において、該サービングセルにビーム失敗が発生した回数が予め設定された回数閾値以上である場合、前記端末が該サービングセルにおいてランダムアクセスを実行して、前記サービングセルのサービスビームを更新することを含む
ことを特徴とする請求項２に記載のデータ伝送方法。
【請求項５】
前記回数閾値は、ネットワークデバイスにより設定され、又は、プロトコルにより規定される
ことを特徴とする請求項４に記載のデータ伝送方法。
【請求項６】
前記端末が前記各サービングセルに設定されたタイマ及びカウンタを維持して、前記各サービングセルに設定されたタイマの動作期間において、前記各サービングセルにビーム失敗が発生した回数を統計することは、
前記端末のＭＡＣエンティティが前記各サービングセルに設定されたタイマ及びカウンタを維持することと、
前記端末のＭＡＣエンティティが前記端末の物理層により報告されたサービングセルのビーム失敗イベントを受信することと、
前記端末のＭＡＣエンティティが前記カウンタの値を１つのカウント単位分加算されることとを含み、
前記ビーム失敗イベントは、前記端末の物理層が該サービングセルのビーム失敗を検出して報告したものである
ことを特徴とする請求項２に記載のデータ伝送方法。
【請求項７】
前記端末が前記各サービングセルのデータ伝送状況に応じて、ビーム失敗したサービングセルにおいて、ランダムアクセスを実行した後、さらに、
前記ランダムアクセスが成功した場合、前記端末がビーム失敗したサービングセルに設定されたタイマを停止し、ビーム失敗したサービングセルに設定されたカウンタをクリアすることを含む
ことを特徴とする請求項２〜６のいずれか１項に記載のデータ伝送方法。
【請求項８】
伝送検出ユニットと、ランダムアクセスユニットとを備えるデータ伝送装置であって、
前記伝送検出ユニットは、少なくとも２つのサービングセルの各サービングセルのデータ伝送状況を検出するように構成され、前記少なくとも２つのサービングセルが１つのプライマリセル及び少なくとも１つのセカンダリセルを含み、
前記ランダムアクセスユニットは、前記各サービングセルのデータ伝送状況に応じて、ビーム失敗したサービングセルにおいてランダムアクセスを実行して、前記サービングセルのサービスビームを更新するように構成される
ことを特徴とするデータ伝送装置。
【請求項９】
前記伝送検出ユニットは、
前記各サービングセルに設定されたタイマ及びカウンタを維持して、前記各サービングセルに設定されたタイマの動作期間において前記各サービングセルにビーム失敗した回数を統計するように構成される
ことを特徴とする請求項８に記載のデータ伝送装置。
【請求項１０】
前記各サービングセルに設定されたタイマの動作期間が、同一又は異なる
ことを特徴とする請求項９に記載のデータ伝送装置。
【請求項１１】
前記ランダムアクセスユニットは、
サービングセルに設定されたタイマの動作期間において、該サービングセルにビーム失敗した回数が予め設定された回数閾値以上である場合、該サービングセルにおいてランダムアクセスを実行して、前記サービングセルのサービスビームを更新するように構成される
ことを特徴とする請求項９に記載のデータ伝送装置。
【請求項１２】
前記回数閾値は、ネットワークデバイスにより設定され、又は、プロトコルにより規定される
ことを特徴とする請求項１１に記載のデータ伝送装置。
【請求項１３】
前記伝送検出ユニットは、
前記各サービングセルに設定されたタイマ及びカウンタを維持し、
端末の物理層により報告されたサービングセルのビーム失敗イベントを受信し、
前記カウンタの値を１つのカウント単位分加算するように構成され、
前記ビーム失敗イベントは、前記端末の物理層が該サービングセルのビーム失敗を検出して報告したものである
ことを特徴とする請求項９に記載のデータ伝送装置。
【請求項１４】
前記伝送検出ユニットは、さらに、
前記ランダムアクセスが成功した場合、ビーム失敗したサービングセルに設定されたタイマを停止し、ビーム失敗したサービングセルに設定されたカウンタをクリアするように構成される
ことを特徴とする請求項９〜１３のいずれか１項に記載のデータ伝送装置。
【国際調査報告】
2021520697.tif 000005
2021520697.tif 000006
2021520697.tif 000007
2021520697.tif 000008